(57)【特許請求の範囲】
【請求項１】
用紙に画像を印刷する印刷ジョブを実行する印刷部と、
印刷済みの用紙に後処理を施す後処理装置の後処理動作を制御するとともに、前記後処理装置の装置状態を認識する後処理制御部と、
前記印刷部の印刷動作を制御するとともに、前記後処理を伴う前記印刷ジョブである後処理付帯ジョブを実行するときには、前記後処理制御部と通信することによって前記後処理装置の装置状態を確認し、前記後処理装置の装置状態が後処理実行命令を待ち受ける状態であるスタンバイ状態となっていれば、前記後処理制御部に前記後処理実行命令を送信することによって前記後処理装置に前記後処理を実行させる印刷制御部と、を備え、
前記後処理付帯ジョブで実行すべき前記後処理が終了したとき、前記後処理制御部は、前記後処理が終了した旨の後処理終了通知を前記印刷制御部に送信し、
前記後処理制御部から前記後処理終了通知を受信したとき、前記印刷制御部は、前記後処理付帯ジョブが完了したとして、前記後処理付帯ジョブの実行中を示すジョブ実行中状態となっている前記後処理装置を前記スタンバイ状態に復帰させるための復帰命令を前記後処理制御部に送信し、
前記後処理制御部に前記復帰命令を送信して以降、前記後処理付帯ジョブを新たに開始するとき、前記後処理装置が前記ジョブ実行中状態から前記スタンバイ状態に復帰していなければ、前記印刷制御部は、前記後処理制御部にリセット命令を送信し、前記後処理制御部にリセット処理を実行させることによって前記後処理装置を前記スタンバイ状態に復帰させ、前記後処理制御部に前記後処理実行命令を送信することを特徴とする画像形成装置。
【請求項２】
前記印刷制御部は、前記印刷部が前記後処理付帯ジョブのための印刷動作を行っているときに、前記後処理制御部に前記リセット処理を実行させることを特徴とする請求項１に記載の画像形成装置。
【請求項３】
前記印刷制御部は、前記印刷部が前記後処理付帯ジョブのための印刷動作を開始したとき、前記後処理制御部に前記リセット命令を送信することを特徴とする請求項２に記載の画像形成装置。
【発明の詳細な説明】
【技術分野】
【０００１】
本発明は、後処理装置が装着された画像形成装置に関する。
【背景技術】
【０００２】
従来、印刷済みの用紙に後処理を施す後処理装置が装着された画像形成装置が知られている（たとえば、特許文献１参照）。後処理装置により実行される後処理としては、一例を挙げると、複数枚の用紙を束にしてステープルするステープル処理や、用紙の排出時に用紙をシフトさせて排出する仕分け処理などがある。
【０００３】
後処理装置は、画像形成装置の本体に対して後付けされるオプション装置であり、後処理装置の後処理動作を制御する後処理制御部を内部に有する。この後処理制御部は、画像形成装置の本体制御部（たとえば、印刷動作を制御する制御部）と接続され、本体制御部からの命令に基づき、後処理装置の後処理動作を制御する。
【０００４】
たとえば、後処理を伴う印刷ジョブ（以下の説明では、後処理付帯ジョブと称する）の実行要求を受けたとき、本体制御部は、装置本体に印刷を実行させる。また、本体制御部は、後処理装置に後処理を実行させるため、後処理実行命令を後処理制御部に送信する。
【先行技術文献】
【特許文献】
【０００５】
【特許文献１】特開２００３−５０５２３号公報
【発明の概要】
【発明が解決しようとする課題】
【０００６】
本体制御部から後処理制御部への後処理実行命令の送信は、後処理装置が後処理実行命令を待ち受ける状態であるスタンバイ状態となっているときに行われる。言い換えると、後処理装置がスタンバイ状態となっていなければ、本体制御部から後処理制御部への後処理実行命令の送信は行われない。
【０００７】
通常では、後処理付帯ジョブが完了すると、後処理装置がスタンバイ状態に復帰する。しかし、場合によっては、後処理付帯ジョブが完了しても、後処理装置がスタンバイ状態に復帰しないことがある。この場合、後処理付帯ジョブの実行要求を新たに受けても、本体制御部は後処理制御部に後処理実行命令を送信しない。
【０００８】
ここで、従来の画像形成装置では、後処理付帯ジョブの実行要求を新たに受けたとき、後処理装置がスタンバイ状態に復帰していなければ、本体制御部から後処理制御部への後処理実行命令の送信が行われず、印刷（用紙搬送路への用紙の供給、その用紙の搬送、および、トナー画像の形成）だけが開始される。すなわち、後処理装置がスタンバイ状態に復帰していなくても、後処理付帯ジョブは開始される。そして、後処理装置がスタンバイ状態に復帰しないまま、印刷開始から所定時間が経過したとき、実行中の後処理付帯ジョブが停止される。
【０００９】
このように、実行中の後処理付帯ジョブが停止してしまうと、用紙搬送路に残留する用紙を取り除かなければならないので、ユーザーにとっては煩わしい。また、トナー画像の形成時に使用されたトナーが無駄になってしまう。
【００１０】
本発明は、上記課題を解決するためになされたものであり、実行中の後処理付帯ジョブが停止するのを抑制することが可能な画像形成装置を提供することを目的とする。
【課題を解決するための手段】
【００１１】
上記目的を達成するために、本発明の画像形成装置は、用紙に画像を印刷する印刷ジョブを実行する印刷部と、印刷済みの用紙に後処理を施す後処理装置の後処理動作を制御するとともに、後処理装置の装置状態を認識する後処理制御部と、印刷部の印刷動作を制御するとともに、後処理を伴う印刷ジョブである後処理付帯ジョブを実行するときには、後処理制御部と通信することによって後処理装置の装置状態を確認し、後処理装置の装置状態が後処理実行命令を待ち受ける状態であるスタンバイ状態となっていれば、後処理制御部に後処理実行命令を送信することによって後処理装置に後処理を実行させる印刷制御部と、を備える。後処理付帯ジョブで実行すべき後処理が終了したとき、後処理制御部は、後処理が終了した旨の後処理終了通知を印刷制御部に送信し、後処理制御部から後処理終了通知を受信したとき、印刷制御部は、後処理付帯ジョブが完了したとして、後処理付帯ジョブの実行中を示すジョブ実行中状態となっている後処理装置をスタンバイ状態に復帰させるための復帰命令を後処理制御部に送信する。そして、後処理制御部に復帰命令を送信して以降、後処理付帯ジョブを新たに開始するとき、後処理装置がジョブ実行中状態からスタンバイ状態に復帰していなければ、印刷制御部は、後処理制御部にリセット命令を送信し、後処理制御部にリセット処理を実行させることによって後処理装置をスタンバイ状態に復帰させ、後処理制御部に後処理実行命令を送信する。
【００１２】
本発明の構成では、後処理付帯ジョブを開始するとき、後処理装置がスタンバイ状態に復帰していなくても、印刷制御部から後処理制御部に対してリセット命令が送信され、後処理制御部によりリセット処理が実行されるので、後処理装置がスタンバイ状態に復帰する。これにより、後処理制御部に後処理実行命令を送信することができるようになる。すなわち、後処理装置に後処理を実行させることができるようになる。その結果、後処理付帯ジョブを開始するときに、後処理装置がスタンバイ状態に復帰していなくても、実行中の後処理付帯ジョブが停止するのを抑制することができる。
【発明の効果】
【００１３】
本発明によれば、後処理付帯ジョブを開始するときに、後処理装置がスタンバイ状態に復帰していなくても、実行中の後処理付帯ジョブが停止するのを抑制することができる。
【図面の簡単な説明】
【００１４】
【図１】本発明の一実施形態による画像形成装置の構成を示す図
【図２】本発明の一実施形態による画像形成装置に装着される後処理装置の構成を示す図
【図３】本発明の一実施形態による画像形成装置のハードウェア構成を示す図
【図４】本発明の一実施形態による画像形成装置において後処理付帯ジョブを実行するときの処理の流れを説明するためのフローチャート
【発明を実施するための形態】
【００１５】
＜画像形成装置の構成＞
図１に示すように、本実施形態の画像形成装置１００は、操作パネル１０１、画像読取部１０２、給紙部１０３、用紙搬送部１０４、画像形成部１０５および定着部１０６を備える。このうち、給紙部１０３、用紙搬送部１０４、画像形成部１０５および定着部１０６は、印刷ジョブを実行するための機構部であり、「印刷部」に相当する。以下の説明では、印刷ジョブを実行するための機構部を印刷部１０７と称する。
【００１６】
操作パネル１０１は、タッチパネルディスプレイ１１を含む。タッチパネルディスプレイ１１は、各種設定を受け付けるためのソフトキーやメニューを表示したり、装置状態を示すメッセージを表示したりする。また、操作パネル１０１には、数値入力を受け付けるためのテンキーや、各種ジョブの実行指示を受け付けるためのスタートキーなどのハードキー１２も設けられている。
【００１７】
画像読取部１０２は、原稿の画像を読み取り、原稿の画像の画像データを生成する。画像読取部１０２は、図示しないが、露光ランプ、ミラー、レンズおよびイメージセンサーなどの光学系部材を含む。そして、画像読取部１０２は、搬送読取用コンタクトガラスＣ１上を通過する原稿または載置読取用コンタクトガラスＣ２上に載置された原稿に光を照射し、その原稿からの反射光を受けたイメージセンサーの出力値をＡ／Ｄ変換することによって原稿の画像の画像データを生成する。
【００１８】
なお、搬送読取用コンタクトガラスＣ１上に原稿を搬送するため、画像読取部１０２は原稿搬送ユニット１０２Ａを含む。この原稿搬送ユニット１０２Ａは、載置読取用コンタクトガラスＣ２に載置された原稿を押え付ける機能も有する。
【００１９】
給紙部１０３は、用紙Ｐを収容するカセット３１を有し、カセット３１内の用紙Ｐを本体搬送路７０に供給する。給紙部１０３は、カセット３１内の用紙Ｐを引き出すピックアップローラー３２を含む。また、給紙部１０３は、カセット３１内から引き出される用紙Ｐの重送を抑制しつつ、用紙Ｐを本体搬送路７０に供給する給紙ローラー対３３を含む。
【００２０】
用紙搬送部１０４は、本体搬送路７０に供給された用紙Ｐを本体搬送路７０に沿って搬送し、画像形成部１０５および定着部１０６を経由して後述する後処理装置２００の搬入口２０１に導く。用紙搬送部１０４は、本体搬送路７０に回転可能に設置された搬送ローラー対４１を複数含む。複数の搬送ローラー対４１のうちの１組は、レジストローラー対４２である。レジストローラー対４２は、用紙Ｐを画像形成部１０５（転写ニップ）の手前で待機させ、タイミングを合わせて画像形成部１０５に送り出すためのものである。
【００２１】
画像形成部１０５は、印刷すべき画像の画像データに基づきトナー画像を形成し、そのトナー画像を用紙Ｐに転写（印刷）する。画像形成部１０５は、感光体ドラム５１、帯電装置５２、露光装置５３、現像装置５４、転写ローラー５５およびクリーニング装置５６を含む。
【００２２】
トナー画像の形成時には、感光体ドラム５１が回転駆動し、その感光体ドラム５１の表面を帯電装置５２が所定電位に帯電させる。また、露光装置５３は、露光用の光ビームＬを出力する発光素子（図示せず）を有し、発光素子を点消灯させつつ感光体ドラム５１の表面を走査露光する。これにより、感光体ドラム５１の表面に静電潜像が形成される。現像装置５４は、感光体ドラム５１の表面に形成された静電潜像にトナーを供給し、静電潜像をトナー画像に現像する。
【００２３】
転写ローラー５５は、感光体ドラム５１の表面に圧接し、感光体ドラム５１との間で転写ニップを形成する。そして、この転写ニップを用紙Ｐが通過するときに、感光体ドラム５１の表面のトナー画像が用紙Ｐに転写（印刷）される。クリーニング装置５６は、感光体ドラム５１の表面に残留するトナーなどを除去する。
【００２４】
定着部１０６は、用紙Ｐに転写されたトナー画像を加熱および加圧して定着させる。定着部１０６は、発熱源を内蔵する定着ローラー６１と、定着ローラー６１に圧接される加圧ローラー６２とを含む。そして、トナー画像が転写された用紙Ｐは、定着ローラー６１と加圧ローラー６２との間を通過することで、加熱および加圧される。これにより、用紙Ｐにトナー画像が定着され、印刷が完了する。
【００２５】
ここで、画像形成装置１００は、定着部１０６を抜けた印刷済みの用紙Ｐに対して後処理を施すための後処理装置２００を備える。後処理装置２００は、本体搬送路７０に接続される搬入口２０１を有し、その搬入口２０１を介して印刷部１０７から用紙Ｐの供給を受ける。そして、後処理装置２００は、たとえば、パンチ処理、ステープル処理および折り畳み処理など種々の後処理を行う。
【００２６】
＜後処理装置の構成＞
図２に示すように、後処理装置２００は、搬入口２０１から搬入された印刷済みの用紙Ｐを後処理搬送路２０に沿って搬送し、用紙Ｐに後処理を施す。このため、後処理装置２００には、用紙Ｐを搬送するための搬送ローラー対２０２が複数設けられている。
【００２７】
また、後処理装置２００は、パンチユニットＵ１、ステープルユニットＵ２およびブックレットユニットＵ３などを含む。パンチユニットＵ１は、用紙Ｐに対してパンチ処理を行う。ステープルユニットＵ２は、用紙Ｐに対してステープル処理を行う。ブックレットユニットＵ３は、用紙Ｐに対して折り畳み処理を行う。
【００２８】
パンチユニットＵ１は、後処理搬送路２０の上流側（搬入口２０１の近傍）に配置されている。そして、後処理搬送路２０は、パンチユニットＵ１の下流側において、搬送路２０ａ、２０ｂおよび２０ｃの３つに分岐している。
【００２９】
搬送路２０ａは、排紙トレイ２０３に繋がる。そして、ステープル処理や折り畳み処理を行わない場合には、パンチユニットＵ１を通過した用紙Ｐが搬送路２０ａを介して排紙トレイ２０３に排出される。
【００３０】
搬送路２０ｂは、排紙トレイ２０３とは別の排紙トレイ２０４に繋がる。搬送路２０ｂにより規定される搬送経路の途中（排紙トレイ２０４に至る直前）には、処理トレイ２０５が設けられている。そして、ステープル処理を行う場合には、搬送路２０ｂを介して用紙Ｐを処理トレイ２０５に搬送し、処理トレイ２０５の載置面に複数枚の用紙Ｐを積層させる。なお、ステープル処理は、処理トレイ２０５の載置面に積層された複数枚の用紙Ｐ（用紙束）に対して行われる。
【００３１】
搬送路２０ｃは、ブックレットユニットＵ３に繋がる。そして、折り畳み処理を行う場合には、搬送路２０ｃを介して用紙ＰをブックレットユニットＵ３に搬送する。
【００３２】
また、後処理搬送路２０が分岐している箇所には、パンチユニットＵ１から送られてきた用紙Ｐを一時的に待避させる待避部２０６が設けられている。待避部２０６は、回転駆動する待避ドラム２０６ａに用紙Ｐを巻回し、用紙Ｐを待避させる（処理トレイ２０５への用紙Ｐの搬送を遅らせる）。
【００３３】
さらに、後処理搬送路２０が分岐している箇所（待避ドラム２０６ａの周囲）には、用紙Ｐの搬送経路を切り替えるための複数の切替爪２０７ａ、２０７ｂおよび２０７ｃが設けられている。そして、ステープル処理や折り畳み処理を行わない場合には、搬送路２０ａの進入口を開く方向に切替爪２０７ａを回動させる。これにより、パンチユニットＵ１を通過した用紙Ｐは、搬送路２０ａに進入し、排紙トレイ２０３に送られる。
【００３４】
ステープル処理を行う場合には、搬送路２０ａの進入口を閉じる方向に切替爪２０７ａを回動させる。このとき、用紙Ｐの待避が不要であれば、搬送路２０ｂの進入口を開く方向に切替爪２０７ｂを回動させる。これにより、用紙Ｐが搬送路２０ｂに進入し、処理トレイ２０５に導かれる。一方で、用紙Ｐの待避が必要であれば、搬送路２０ｂの進入口を閉じる方向に切替爪２０７ｂを回動させる。これにより、用紙Ｐは搬送路２０ｂに進入せず、待避部２０６に進入する。
【００３５】
ここで、処理トレイ２０５は、その一端側（排紙トレイ２０４側）から他端側に向かって斜め下方向に傾くように配置されている。また、処理トレイ２０５の一端側には、用紙Ｐを排紙トレイ２０４に排出するための排出ローラー対２０８（上部ローラー２０８ａおよび下部ローラー２０８ｂ）が設けられている。上部ローラー２０８ａにはアーム２０９の一端が接続され、そのアーム２０９の他端には回動軸２０９ａが接続されている。これにより、回動軸２０９ａを支点としてアーム２０９の一端を上方向に回動させると、上部ローラー２０８ａが上方向に移動するので、上部ローラー２０８ａを下部ローラー２０８ｂから離すことができる。一方で、回動軸２０９ａを支点としてアーム２０９の一端を下方向に回動させると、上部ローラー２０８ａが下方向に移動するので、上部ローラー２０８ａを下部ローラー２０８ｂに近づけることができる。
【００３６】
処理トレイ２０５に用紙Ｐを載置するときには、上部ローラー２０８ａを下部ローラー２０８ｂから離間させ、上部ローラー２０８ａと下部ローラー２０８ｂとの間に用紙Ｐの先端を進入させる。その後、たとえば、図示しないパドルによって、処理トレイ２０５の載置面に沿って用紙Ｐを斜め下方向に移動させる（あるいは、用紙Ｐが自重により処理トレイ２０５の載置面に沿って斜め下方向に移動する）。そして、ステープルユニットＵ２は、処理トレイ２０５の他方端側に配置され、処理トレイ２０５に載置された用紙束に対してステープル処理を行う。
【００３７】
ステープル処理された用紙束を排紙トレイ２０４に排出するときには、上部ローラー２０８ａを下部ローラー２０８ｂに近づけることにより、上部ローラー２０８ａと下部ローラー２０８ｂとで用紙束を挟み込む。これにより、上部ローラー２０８ａおよび下部ローラー２０８ｂを回転させることにより、ステープル処理された用紙束が排紙トレイ２０４に排出される。
【００３８】
なお、処理トレイ２０５には、用紙Ｐの幅方向（搬送方向と直交する方向）に移動可能なガイド２０５ａが設けられている。このようなガイド２０５ａを処理トレイ２０５に設けることにより、処理トレイ２０５に載置された用紙束を用紙Ｐの幅方向にシフトさせてから排出トレイ２０４に排出することができる、すなわち、用紙束を仕分けることができる。
【００３９】
折り畳み処理を行う場合には、搬送路２０ａの進入口を閉じる方向に切替爪２０７ａを回動させるとともに、搬送路２０ｂの進入口を閉じる方向に切替爪２０７ｂを回動させ、搬送路２０ｃの進入口を開く方向に切替爪２０７ｃを回動させる。これにより、用紙Ｐが搬送路２０ｃに進入し、ブックレットユニットＵ３に導かれる。
【００４０】
＜画像形成装置のハードウェア構成＞
図３に示すように、画像形成装置１００は、装置全体の制御を行う主制御部１１０を備える。主制御部１１０は、各種処理を実行するＣＰＵ１１１や、ＣＰＵ１１１を動作させるための制御用のプログラムを記憶するメモリー１１２などを含む。
【００４１】
主制御部１１０は、操作パネル１０１と接続される。そして、主制御部１１０は、タッチパネルディスプレイ１１の表示動作を制御する。また、主制御部１１０は、タッチパネルディスプレイ１１に対するタッチ操作やハードキー１２に対する押下操作を検知する。
【００４２】
たとえば、主制御部１１０は、印刷ジョブに関する各種設定を受け付けるための印刷設定画面を操作パネル１０１に表示させる。この印刷設定画面では、印刷部数、用紙サイズおよび濃度など、印刷条件の詳細な設定を行える。
【００４３】
また、主制御部１１０は、後処理を伴う印刷ジョブ（以下の説明では、後処理付帯ジョブと称する）に関する各種設定を受け付けるための後処理設定画面を操作パネル１０１に表示させる。この後処理設定画面では、後処理装置２００で実行可能な複数種の後処理のそれぞれについて、実行するか否かの設定を行えるとともに、後処理条件の詳細な設定を行える。たとえば、後処理設定画面にてステープル処理を実行する旨の設定を行った場合には、ステープル数やステープル位置などの設定（後処理条件の詳細な設定）が行えるようになる。
【００４４】
そして、主制御部１１０は、複数種の後処理のうちいずれかを実行する旨の設定が行われ、その状態で、印刷ジョブのスタート指示を受け付けると、後処理付帯ジョブの実行要求を受けたと判断する。たとえば、主制御部１１０は、操作パネル１０１に設けられたスタートキー（ハードキー１２）に対する押下操作を印刷ジョブのスタート指示として受け付ける。あるいは、印刷設定画面や後処理設定画面の各画面内にスタートキーに相当するソフトキーを表示し、当該ソフトキーに対するタッチ操作を印刷ジョブのスタート指示として受け付けてもよい。
【００４５】
なお、画像形成装置１００には、画像形成装置１００のユーザーにより使用されるユーザー端末であるパーソナルコンピューター（ＰＣ）３００を接続するための通信部３１０が設けられている。そして、画像形成装置１００（通信部３１０）にＰＣ３００が接続されている場合には、ＰＣ３００から画像形成装置１００に対して、後処理付帯ジョブの実行要求を含むジョブデータ（印刷条件や後処理条件、印刷すべき画像の画像データなどを含むデータ）が送信される場合がある。この場合、主制御部１１０は、当該ジョブデータを通信部３１０が受信すると、後処理付帯ジョブの実行要求を受けたと判断する。
【００４６】
また、画像形成装置１００は、読取制御部１２０および印刷制御部１７０を備える。読取制御部１２０は、主制御部１１０と接続される。そして、読取制御部１２０は、主制御部１１０からの命令に基づき、画像読取部１０２の画像読取動作を制御する。
【００４７】
印刷制御部１７０は、ＣＰＵ１７１や、そのＣＰＵ１７１を動作させるためのプログラムが記憶されたメモリー１７２などを含む。印刷制御部１７０は、主制御部１１０と接続され、主制御部１１０からの命令に基づき、印刷部１０７の印刷動作を制御する。
【００４８】
たとえば、印刷制御部１７０は、印刷用駆動機構７１の駆動制御を行う。この印刷用駆動機構７１は、モーターやソレノイドなどで構成され、ピックアップローラー３２や給紙ローラー対３３、搬送ローラー対４１、感光体ドラム５１、定着ローラー６１など、印刷部１０７の各種可動部材を動作させるためのものである。なお、印刷制御部１７０により駆動制御される印刷用駆動機構７１は複数存在する。
【００４９】
また、印刷制御部１７０は、後処理装置２００に設けられた後処理制御部２１０と接続される。後処理制御部２１０は、ＣＰＵ２１１や、そのＣＰＵ２１１を動作させるためのプログラムが記憶されたメモリー２１２などを含む。後処理制御部２１０は、印刷制御部１７０との間で通信を行い、印刷制御部１７０から種々の命令を受信する。そして、後処理制御部２１０は、印刷制御部１７０からの命令に基づき、後処理装置２００の後処理動作を制御する。
【００５０】
たとえば、後処理制御部２１０は、後処理用駆動機構２１の駆動制御を行う。この後処理用駆動機構２１は、モーターやソレノイドなどで構成され、パンチユニットＵ１、ステープルユニットＵ２、ブックレットユニットＵ２、搬送ローラー対２０２、処理トレイ２０５のガイド２０５ａ、待避部２０６の退避ドラム２０６ａ、および、切替爪２０７ａ〜２０７ｃなど、後処理装置２００の各種可動部材を動作させるためのものである。なお、後処理制御部２１０により駆動制御される後処理用駆動機構２１は複数存在する。
【００５１】
また、後処理制御部２１０は、印刷制御部１７０との間で通信を行い、種々の情報を印刷制御部１７０に送信する。たとえば、後処理制御部２１０は、後処理装置２００の装置状態を確認する。そして、後処理制御部２１０は、後処理装置２００の装置状態を示す装置状態情報を印刷制御部１７０に送信する。すなわち、印刷制御部１７０は、後処理制御部２１０から受信した装置状態情報に基づき、後処理装置２００の装置状態を認識する。
【００５２】
＜後処理付帯ジョブの実行＞
主制御部１１０は、後処理付帯ジョブの実行要求を受けると、印刷制御部１７０に対して、後処理付帯ジョブを開始させるためのジョブ開始命令を送信する。たとえば、ジョブ開始命令には、印刷条件や後処理条件などを示す情報が含まれる。そして、主制御部１１０からのジョブ開始命令を印刷制御部１７０が受信することにより、後処理付帯ジョブが開始される。
【００５３】
印刷制御部１７０は、ジョブ開始命令を受けると、給紙部１０３による本体搬送路７０への用紙Ｐの供給および用紙搬送部１０４による用紙Ｐの搬送を開始するとともに、画像形成部１０５によるトナー画像の形成を開始する。すなわち、印刷制御部１７０は、後処理付帯ジョブのための印刷動作を印刷部１０７に開始させる。
【００５４】
また、印刷制御部１７０は、後処理付帯ジョブを開始するとき、後処理装置２００に後処理を実行させるための後処理実行命令を後処理制御部２１０に送信する。たとえば、後処理実行命令には、後処理条件などを示す情報も含まれる。後に詳細に説明するが、印刷制御部１７０は、後処理装置２００がスタンバイ状態となっていれば後処理制御部２１０に後処理実行命令を送信するが、後処理装置２００がスタンバイ状態となっていなければ後処理制御部２１０に後処理実行命令を送信しない。
【００５５】
後処理制御部２１０は、後処理実行命令を受信すると、処理トレイ２０５のガイド２０５ａなど各種可動部材を後処理条件に合ったポジションに移動させる。そして、後処理制御部２１０は、印刷部１０７から印刷済みの用紙Ｐが搬送されてくると、その用紙Ｐに対して必要な後処理を施す。
【００５６】
その後、後処理制御部２１０は、後処理付帯ジョブで実行すべき後処理が終了したと判断すると、後処理が終了した旨の後処理終了通知を印刷制御部１７０に送信する。たとえば、後処理制御部２１０は、最終の用紙Ｐ（または、その用紙Ｐを含む用紙束）が排出されたことを検知すると、後処理付帯ジョブで実行すべき後処理が終了したと判断する。そして、印刷制御部１７０は、後処理終了通知を受信することにより、後処理付帯ジョブが完了したと判断する。
【００５７】
ここで、印刷制御部１７０が後処理制御部２１０から後処理終了通知を受信した時点では、後処理付帯ジョブは完了しているが、後処理装置２００の装置状態は後処理付帯ジョブの実行中を示すジョブ実行中状態となっている。すなわち、この時点では、後処理装置２００の装置状態が新たな後処理実行命令を待ち受けるスタンバイ状態（新たな後処理付帯ジョブを実行できる状態）となっていない。このため、印刷制御部１７０は、後処理終了通知を受信すると、後処理装置２００をジョブ実行中状態からスタンバイ状態に復帰させるための復帰命令を後処理制御部２１０に送信する。
【００５８】
たとえば、後処理付帯ジョブが完了した時点では、後処理装置２００の各種可動部材（処理トレイ２０５のガイド２０５ａなど）のポジションが既に完了した後処理付帯ジョブの後処理条件に合ったポジションに移動した状態となっている。この状態のときに、復帰命令を受信すると、後処理制御部２１０は、後処理装置２００の各種可動部材を予め定められたホームポジションに移動させる。これにより、後処理装置２００がスタンバイ状態となる。
【００５９】
＜後処理装置のリセット＞
印刷制御部１７０は、後処理付帯ジョブを新たに開始するとき、後処理制御部２１０に対して装置状態情報の送信を要求し、後処理制御部２１０から受信した装置状態情報に基づき、後処理装置２００の装置状態を確認する。そして、印刷制御部１７０は、後処理装置２００がスタンバイ状態になっていれば、印刷部１０７による印刷（用紙搬送路７０への用紙Ｐの供給、その用紙Ｐの搬送、および、トナー画像の形成）を開始するのと略同時に、後処理制御部２１０に後処理実行命令を送信する。
【００６０】
ここで、前回実行した後処理付帯ジョブが完了すると（印刷制御部１７０が後処理制御部２１０から後処理終了通知を受信すると）、印刷制御部１７０が後処理制御部２１０に対して復帰命令を送信する。これにより、通常では、後処理装置２００がジョブ実行中状態からスタンバイ状態に復帰する。しかし、何らかの理由により、印刷制御部１７０が後処理制御部２１０に対して復帰命令を送信しても、後処理装置２００がスタンバイ状態に復帰しないことがある。たとえば、ソフト的なエラーが発生した場合や、通信エラーが発生した場合（たとえば、後処理制御部２１０が復帰命令を受信できなかった場合）に、後処理装置２００がスタンバイ状態に復帰しないことがある。
【００６１】
このように、後処理制御部２１０が印刷制御部１７０に後処理終了通知を送信し、それを受け、印刷制御部１７０が後処理制御部２１０に復帰命令を送信したにもかかわらず、後処理装置２００がスタンバイ状態に復帰しない場合には、後処理装置２００にリセットをかけることによって、後処理装置２００がスタンバイ状態に復帰する。そこで、この場合、印刷制御部１７０は、後処理制御部２１０にリセット命令を送信し、後処理制御部２１０に強制的にリセット処理を行わせる。これにより、後処理装置２００をスタンバイ状態に復帰させる。
【００６２】
後処理制御部２１０は、リセット命令を受信すると、リセット処理として、予め定められたイニシャライズ（動作確認など）を実行する。一例として、後処理制御部２１０は、後処理用駆動機構２１の駆動力が伝達されて動作する後処理装置２００の可動部材（たとえば、処理トレイ２０５のガイド２０５ａなど）を予め定められた条件に従って動作させることによって動作確認を行う。その後、後処理制御部２１０は、後処理装置２００の可動部材をホームポジションに移動させる。これにより、後処理装置２００がスタンバイ状態に復帰する。
【００６３】
たとえば、印刷制御部１７０は、印刷部１０７が後処理付帯ジョブのための印刷動作を開始したとき（印刷用駆動機構７１が駆動を開始したとき）、後処理制御部２１０にリセット命令を送信する。これにより、印刷部１０７が後処理付帯ジョブのための印刷動作を行っているときに、後処理制御部２１０によるリセット処理が実行される。すなわち、印刷用駆動機構７１の駆動中に、後処理制御部２１０によるリセット処理が実行される。
【００６４】
後処理制御部２１０は、リセット処理が完了すると、リセット処理完了通知を印刷制御部１７０に送信する。このリセット処理完了通知を受けて、印刷制御部１７０は、後処理装置２００がスタンバイ状態に復帰したと判断する。そして、印刷制御部１７０は、後処理装置２００がスタンバイ状態に復帰すると、後処理制御部２１０に後処理実行命令を送信する。
【００６５】
以下に、図４に示すフローチャートを参照して、後処理付帯ジョブを実行するときの処理の流れについて説明する。図４に示すフローチャートのスタート時点では、前回の後処理付帯ジョブで実行すべき後処理が終了したことによって後処理制御部２１０が印刷制御部１７０に後処理終了通知を送信し、それを受けて、印刷制御部１７０が後処理制御部２１０に復帰命令を送信した状態になっているとする。そして、印刷制御部１７０から後処理制御部２１０への復帰命令の送信が行われて以降、後処理付帯ジョブのジョブ開始命令が主制御部１１０から印刷制御部１７０に対して新たに送信されたとき、図４に示すフローチャートがスタートする。
【００６６】
ステップＳ１において、印刷制御部１７０は、後処理制御部２１０に対して装置状態情報の送信を要求し、後処理装置２００の装置状態を確認する。続いて、ステップＳ２において、印刷制御部１７０は、印刷部１０７による印刷を開始する。すなわち、印刷制御部１７０は、給紙部１０３による本体搬送路７０への用紙Ｐの供給、用紙搬送部１０４による用紙Ｐの搬送、および、画像形成部１０５によるトナー画像の形成を開始する。
【００６７】
ステップＳ３において、印刷制御部１７０は、後処理装置２００の装置状態がスタンバイ状態になっているか否かを判断する。その結果、装置状態がスタンバイ状態になっていると印刷制御部１７０が判断した場合には、ステップＳ４に移行する。ステップＳ４に移行すると、印刷制御部１７０は、後処理実行命令を後処理制御部２１０に送信する。
【００６８】
一方で、ステップＳ３において、後処理装置２００の装置状態がスタンバイ状態になっていない（ジョブ実行中状態になっている）と印刷制御部１７０が判断した場合には、ステップＳ５に移行する。ステップＳ５に移行すると、印刷制御部１７０は、後処理制御部２１０にリセット命令を送信する。
【００６９】
ステップＳ６において、リセット命令を受信した後処理制御部２１０は、リセット処理を実行する。すなわち、後処理制御部２１０は、後処理装置２００をジョブ実行中状態からスタンバイ状態に強制的に復帰させる。
【００７０】
ステップＳ７において、印刷制御部１７０は、後処理制御部２１０によるリセット処理が完了したか否か（スタンバイ状態に復帰したか否か）を判断する。その結果、リセット処理が完了したと印刷制御部１７０が判断した場合には、ステップＳ４に移行し、リセット処理が完了していないと印刷制御部１７０が判断した場合には、ステップＳ６に移行する。
【００７１】
本実施形態の画像形成装置１００は、上記のように、用紙Ｐにトナー画像を印刷する印刷ジョブを実行する印刷部１０７と、印刷済みの用紙Ｐに後処理を施す後処理装置２００の後処理動作を制御するとともに、後処理装置２００の装置状態を認識する後処理制御部２１０と、印刷部１０７の印刷動作を制御するとともに、後処理付帯ジョブを実行するときには、後処理制御部２１０と通信することによって後処理装置２００の装置状態を確認し、後処理装置２００がスタンバイ状態となっていれば、後処理制御部２１０に後処理実行命令を送信することによって後処理装置２００に後処理を実行させる印刷制御部１７０と、を備える。後処理付帯ジョブで実行すべき後処理が終了したとき、後処理制御部２１０は、後処理が終了した旨の後処理終了通知を印刷制御部１７０に送信し、後処理制御部２１０から後処理終了通知を受信したとき、印刷制御部１７０は、後処理付帯ジョブが完了したとして、ジョブ実行中状態となっている後処理装置２００をスタンバイ状態に復帰させるための復帰命令を後処理制御部２１０に送信する。そして、後処理制御部２１０に復帰命令を送信して以降、後処理付帯ジョブを新たに開始するとき、後処理装置２００がジョブ実行中状態からスタンバイ状態に復帰していなければ、印刷制御部１７０は、後処理制御部２１０にリセット命令を送信し、後処理制御部２１０にリセット処理を実行させることによって後処理装置２００をスタンバイ状態に復帰させ、後処理制御部２１０に後処理実行命令を送信する。
【００７２】
本実施形態の構成では、後処理付帯ジョブを開始するとき、後処理装置２００がスタンバイ状態に復帰していなくても、印刷制御部１７０から後処理制御部２１０に対してリセット命令が送信され、後処理制御部２１０によりリセット処理が実行されるので、後処理装置２００がスタンバイ状態に復帰する。これにより、後処理制御部２１０に後処理実行命令を送信することができるようになる。すなわち、後処理装置２００に後処理を実行させることができるようになる。その結果、後処理付帯ジョブを開始するときに、後処理装置２００がスタンバイ状態に復帰していなくても、実行中の後処理付帯ジョブが停止するのを抑制することができる。
【００７３】
また、本実施形態では、上記のように、印刷制御部１７０は、印刷部１０７が後処理付帯ジョブのための印刷動作を行っているときに、後処理制御部２１０にリセット処理を実行させる。このように構成すれば、リセット処理の実行によって発生する駆動音（後処理用駆動機構２１の駆動音）を印刷動作の駆動音（印刷用駆動機構７１の駆動音）に紛れさせることができる。これにより、リセット処理を実行することによって駆動音が発生しても、ユーザーが不快に感じることはない。
【００７４】
また、本実施形態では、上記のように、印刷制御部１７０は、印刷部１０７が後処理付帯ジョブのための印刷動作を開始したとき、後処理制御部２１０にリセット命令を送信する。このように構成すれば、容易に、印刷部１０７が後処理付帯ジョブのための印刷動作を行っているときに、後処理制御部２１０にリセット処理を実行させることができる。
【００７５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７６】
１００  画像形成装置
１０７  印刷部
１７０  印刷制御部
２００  後処理装置
２１０  後処理制御部
【図１】
0006358225.tif 000002
【図２】
0006358225.tif 000003
【図３】
0006358225.tif 000004
【図４】
0006358225.tif 000005